(57)【要約】【課題】太陽エネルギーを効率良く利用して発電および給湯を行うことができるとともに、設置コストの低減が図れるヒートポンプ給湯機を提供すること。【解決手段】本発明のヒートポンプ給湯機は、空気の熱を冷媒に吸熱させる空気熱交換器４４と、冷媒を圧縮する圧縮機４１と、圧縮された冷媒の熱によって水を加熱して湯を生成する加熱熱交換器４２と有するヒートポンプサイクルと、太陽光発電パネル４９の発電時に該太陽光発電パネル４９の熱をブラインに吸熱させる熱収集装置５０と、ブラインの熱を冷媒に吸熱させる第１熱交換部（放熱器４６）と、ブラインの熱で水を加熱する第２熱交換部５４と、熱収集装置５０で吸熱したブラインを第１熱交換部に循環させる状態と第２熱交換部５４に循環させる状態とを切り替え可能な回路切替手段（切替弁４７）とを有するブライン循環回路と、を備える。【選択図】図１
2012197987.tif 000002
【特許請求の範囲】
【請求項１】
空気の熱を冷媒に吸熱させる空気熱交換器と、冷媒を圧縮する圧縮機と、前記圧縮された冷媒の熱によって水を加熱して湯を生成する加熱熱交換器とを有するヒートポンプサイクルと、
太陽光発電パネルの発電時に該太陽光発電パネルの熱をブラインに吸熱させる熱収集装置と、
前記ブラインの熱を前記冷媒に吸熱させる第１熱交換部と、前記ブラインの熱で水を加熱する第２熱交換部と、前記熱収集装置で吸熱したブラインを前記第１熱交換部に循環させる状態と前記第２熱交換部に循環させる状態とを切り替え可能な回路切替手段とを有するブライン循環回路と、
を備えるヒートポンプ給湯機。
【請求項２】
前記熱収集装置で吸熱したブラインの温度を検出するブライン温度検出手段と、
前記ブライン温度検出手段により検出された温度が所定温度より低い場合には、前記熱収集装置で吸熱したブラインを前記第１熱交換部に循環させるとともに前記ヒートポンプサイクルを運転して湯を生成し、前記ブライン温度検出手段により検出された温度が前記所定温度より高い場合には、前記ヒートポンプサイクルを運転せず、前記熱収集装置で吸熱したブラインを前記第２熱交換部に循環させて前記第２熱交換部により湯を生成する運転制御手段と、
を更に備える請求項１記載のヒートポンプ給湯機。
【請求項３】
湯の生成を急ぐべき度合いを判定する緊急性判定手段と、
前記急ぐべき度合いが高いと判定された場合には、前記熱収集装置で吸熱したブラインを前記第１熱交換部に循環させる状態として前記ヒートポンプサイクルを運転して湯を生成し、前記急ぐべき度合いが低いと判定された場合には、前記熱収集装置で吸熱したブラインを前記第２熱交換部に循環させる状態として前記ヒートポンプサイクルを運転することなく前記第２熱交換部により湯を生成する運転制御手段と、
を更に備える請求項１記載のヒートポンプ給湯機。
【請求項４】
前記ブライン循環回路は、前記ブラインの熱で前記圧縮機を加熱する第３熱交換部を有し、
前記回路切替手段は、前記熱収集装置で吸熱したブラインを前記第１熱交換部に循環させる状態と前記第３熱交換部に循環させる状態とを切り替え可能であり、
前記ヒートポンプサイクルの運転を開始する前に前記圧縮機の予熱の要否を判定する要否判定手段と、
前記要否判定手段により前記圧縮機の予熱を要すると判定された場合には、前記ヒートポンプサイクルの運転を開始する前に、前記熱収集装置で吸熱したブラインを前記第３熱交換部に循環させる状態とすることにより前記圧縮機を予熱する圧縮機予熱手段と、
を更に備える請求項１記載のヒートポンプ給湯機。
【請求項５】
湯を貯える貯湯タンクと、
前記貯湯タンクと、前記ヒートポンプサイクルとを接続する接続配管と、
前記第２熱交換部と前記接続配管とを通る回路に水を循環させる水循環回路と、
前記接続配管の凍結のおそれがある場合に、前記熱収集装置で吸熱したブラインを前記第２熱交換部に循環させる状態とするとともに前記水循環回路により前記第２熱交換部および前記接続配管に水を循環させる凍結防止運転を行う運転制御手段と、
を更に備える請求項１記載のヒートポンプ給湯機。
【請求項６】
前記第１熱交換部は、前記空気熱交換器を通過する空気の上流側に配置され、前記ブラインの熱を空気に放熱する放熱器を有し、前記放熱器で暖められた空気が前記空気熱交換器を通過することにより前記ブラインの熱を空気を介して前記空気熱交換器内の冷媒に吸熱させる請求項１乃至５の何れか１項記載のヒートポンプ給湯機。
【請求項７】
前記第２熱交換部は、前記加熱熱交換器と一体的に設けられている請求項１乃至６の何れか１項記載のヒートポンプ給湯機。
【発明の詳細な説明】
【技術分野】
【０００１】
本発明は、ヒートポンプ給湯機に関する。
【背景技術】
【０００２】
特許文献１には、太陽光発電パネルとヒートポンプ給湯機とを組み合わせたシステムが開示されている。特許文献１のシステムは、太陽光発電パネルの熱を吸熱する吸熱基板によって冷媒を蒸発させることができるように構成され、空気熱による冷媒蒸発と切り替えて使用可能になっている。
【先行技術文献】
【特許文献】
【０００３】
【特許文献１】特開２００８−１８０４７３号公報
【発明の概要】
【発明が解決しようとする課題】
【０００４】
特許文献１のシステムでは、ヒートポンプ給湯機の冷媒配管を、屋上に設置された太陽光発電パネルの背面に配置される吸熱基板と接続しなければならないため、長大な冷媒配管を設置する工事が必要となる。冷媒配管の設置工事には、専門的な技術が必要となる。また、冷媒配管は、高圧冷媒に耐え得るように、配管肉厚を厚くすることが求められるため、高価である。このように、特許文献１に開示されたシステムでは、高価な冷媒配管が長大に必要となり、更にその冷媒配管を専門技術者により設置工事しなければならないので、設置コストが高いという問題がある。
【０００５】
本発明は、上述のような課題を解決するためになされたもので、太陽エネルギーを効率良く利用して発電および給湯を行うことができるとともに、設置コストの低減が図れるヒートポンプ給湯機を提供することを目的とする。
【課題を解決するための手段】
【０００６】
本発明に係るヒートポンプ給湯機は、空気の熱を冷媒に吸熱させる空気熱交換器と、冷媒を圧縮する圧縮機と、圧縮された冷媒の熱によって水を加熱して湯を生成する加熱熱交換器とを有するヒートポンプサイクルと、太陽光発電パネルの発電時に該太陽光発電パネルの熱をブラインに吸熱させる熱収集装置と、ブラインの熱を冷媒に吸熱させる第１熱交換部と、ブラインの熱で水を加熱する第２熱交換部と、熱収集装置で吸熱したブラインを第１熱交換部に循環させる状態と第２熱交換部に循環させる状態とを切り替え可能な回路切替手段とを有するブライン循環回路と、を備えたものである。
【発明の効果】
【０００７】
本発明によれば、太陽エネルギーを効率良く利用して発電および給湯を行うことができる。また、太陽光発電パネルの熱をブラインを介して利用するので、設置工事の際に冷媒配管の工事を行う必要が無い。ブライン循環回路の内圧は冷媒配管の内圧より低いため、ブライン配管の設置工事は特に専門的な技術がなくても実施可能である。また、ブライン配管は、冷媒配管と比べて配管肉厚が薄く、コストが低い。このようなことから、太陽エネルギーを効率良く利用可能な省エネルギーのヒートポンプ給湯機を低い設置コストで実現することが可能となる。
【図面の簡単な説明】
【０００８】
【図１】本発明の実施の形態１のヒートポンプ給湯機を示す構成図である。
【図２】本発明の実施の形態１における運転制御のフローチャートである。
【図３】本発明の実施の形態２における運転制御のフローチャートである。
【図４】本発明の実施の形態３のヒートポンプ給湯機を示す構成図である。
【図５】本発明の実施の形態３における運転制御のフローチャートである。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１のヒートポンプ給湯機を示す構成図である。図１に示すように、本実施形態のヒートポンプ給湯機は、ヒートポンプサイクルを有するヒートポンプユニット３１と、貯湯タンク１を内蔵した貯湯タンクユニット３２とを有している。ヒートポンプサイクルは、冷媒を圧縮する圧縮機４１、圧縮機４１を出た高温の冷媒の熱で水を加熱する加熱熱交換器４２、冷媒を膨張させる絞り部４３、および、空気の熱を冷媒に吸熱させる空気熱交換器４４を有し、この順に冷媒を循環させるように構成されている。また、空気熱交換器４４の近傍には、空気熱交換器４４に送風するための送風ファン４５が設置されている。ヒートポンプユニット３１と貯湯タンクユニット３２とは、接続配管８，９を介して接続されている。
【００１１】
水道等の水源から給水配管５を通って貯湯タンクユニット３２に供給される水は、図示しない減圧弁により所定圧力に減圧された後、給水配管７を通って貯湯タンク１の下部に流入する。貯湯タンク１内は、常に満水状態に維持される。また、減圧弁で減圧された水は、給水配管６を通って、混合弁１４，１５にも供給される。
【００１２】
貯湯タンク１内の水をヒートポンプサイクルにより沸き上げる際には、貯湯タンク１内の水が貯湯タンク１の下部から取り出され、ポンプ２の作動により接続配管８を通ってヒートポンプユニット３１内の加熱熱交換器４２に送られ、加熱されて湯となる。この湯は、接続配管９を通って貯湯タンクユニット３２に戻り、切替弁２６および配管１０を通って貯湯タンク１の上部から貯湯タンク１内に流入する。このようにして、貯湯タンク１内で上部から下部に向かって湯が貯えられていく。貯湯タンク１内の上部の湯と下部の水とは、比重差があるため、温度境界層を介して、混じり合うことなく維持される。
【００１３】
給湯する際は、貯湯タンク１の上部から取り出された湯が配管１０，１１を通って混合弁１４，１５へ送られる。混合弁１４，１５は、例えばステッピングモータの作動により、水と湯との混合比を変化させることができるように構成されている。混合弁１４，１５は、貯湯タンク１から送られてきた湯と、給水配管６より送られてきた水とを混合することにより、温度を調節した湯を出湯する。混合弁１４から出湯した湯は、給湯配管１２を通って図示しない蛇口等の所定の給湯先に供給される。混合弁１５から出湯した湯は、風呂配管１６を通って浴槽６０に供給される。風呂配管１６には、風呂側流量センサ２３と、圧力センサ２４とが設けられている。給湯配管１２には、給湯側流量センサ２５が設けられている。
【００１４】
貯湯タンク１には、高さが異なる位置に複数の温度センサ２７が設けられている。また、切替弁２６と、貯湯タンク１の下部との間は、バイパス配管１３により接続されている。貯湯タンクユニット３２の内部には、制御部２１が設けられている。本給湯機が備えるアクチュエータ類およびセンサ類は、制御部２１と電気的に接続されている。また、制御部２１には、例えば台所や浴室等に設置されるユーザーインターフェースとしての操作部２２が通信線を介して接続されている。制御部２１は、本給湯機全体の運転制御を行う。
【００１５】
屋上等には、太陽光発電パネル４９が設置されている。太陽光発電パネル４９は、発電時に高温となる。本給湯機は、この太陽光発電パネル４９の熱を湯の生成に利用するためのブライン循環回路を備えている。太陽光発電パネル４９の背面側には、熱収集装置５０が設置されている。熱収集装置５０には、ブライン（不凍液）の流路が形成されている。この熱収集装置５０によれば、太陽光発電パネル４９の熱をブラインに吸熱させることができる。ブライン循環回路は、熱収集装置５０で熱を吸収して温度の上昇したブラインをヒートポンプユニット３１に送るブライン配管５３と、ブラインの熱を空気に放熱する放熱器４６（第１熱交換部）と、ブラインの熱で水を加熱するための第２熱交換部５４と、ブラインを循環させるためのポンプ４８と、熱収集装置５０からブライン配管５３により送られてきたブラインを放熱器４６に循環させる状態と該ブラインを第２熱交換部５４に循環させる状態とを切り替える切替弁４７（回路切替手段）と、放熱器４６または第２熱交換部５４を通過したブラインを熱収集装置５０に送るブライン配管５５とを有している。
【００１６】
放熱器４６は、送風ファン４５による空気の流れ方向に対して空気熱交換器４４の上流側に配置されている。ブラインが放熱器４６で空気に放熱すると、その暖められた空気が空気熱交換器４４を通り、空気の熱が空気熱交換器４４内の冷媒に吸熱される。このように、本実施形態では、簡単な構成で、ブラインの熱を空気を介して冷媒に吸熱させることができる。
【００１７】
また、本実施形態では、第２熱交換部５４は、加熱熱交換器４２と一体的に設けられている。このため、加熱熱交換器４２と別体で第２熱交換部５４を設ける場合と比べて、スペース効率を向上することができ、ヒートポンプユニット３１の小型化が図れる。
【００１８】
熱収集装置５０のブラインの出口付近には、太陽光発電パネル４９の熱を吸熱したブラインの温度を検出する温度センサ２８が設置されている。温度センサ２８の設置箇所は、図示の構成に限らず、熱収集装置５０のブラインの出口から切替弁４７までの経路上であればどの位置に設置してもよい。
【００１９】
太陽光発電パネル４９で発電された電力は、電源線５１によりヒートポンプユニット３１に送られる。ヒートポンプサイクルの圧縮機４１および送風ファン４５は、太陽光発電パネル４９から電源線５１により送電された電力により運転可能になっている。このため、エネルギー効率が向上し、省エネルギー化が図れる。なお、蓄電池を設け、太陽光発電パネル４９で発電された電力を一旦蓄電池に蓄え、蓄電池からヒートポンプサイクルに電力を供給するようにしてもよい。これにより、太陽光発電パネル４９で発電できない時間帯にもヒートポンプサイクルを運転することが可能となる。
【００２０】
ただし、本発明では、このような構成に限らず、ヒートポンプサイクルを駆動する電力は商用電源等の他の電源から供給し、太陽光発電パネル４９で発電された電力は他の装置に供給するかあるいは電力会社に売電するように構成してもよい。
【００２１】
本給湯機では、太陽光発電パネル４９の熱を利用することができる場合にヒートポンプサイクルを運転して湯を生成する際には、切替弁４７を放熱器４６側に切り替え、ブラインを放熱器４６に循環させて放熱させることができる。これにより、ブラインの熱により暖められて温度上昇した空気が空気熱交換器４４に流れる。空気熱交換器４４に流れる空気の温度が高いほど、ヒートポンプサイクルの効率は高くなる。このため、エネルギー効率が向上し、省エネルギー化が図れる。
【００２２】
また、本給湯機では、切替弁４７を第２熱交換部５４側に切り替えることにより、ブラインの熱で直接に水を加熱することもできる。このため、ヒートポンプサイクルを運転せず、ブラインの熱のみを利用して湯を生成することもできる。これにより、エネルギー効率が更に向上し、更なる省エネルギー化を図ることが可能となる。
【００２３】
また、太陽光発電パネル４９は、パネル温度が低いほど発電効率が上昇するという特性を持つ。本給湯機によれば、太陽光発電パネル４９の熱をブラインに吸熱させることによって太陽光発電パネル４９の温度を低下させることができるので、太陽光発電パネル４９での発電量を増加させることができる。よって、全体としてのエネルギー効率を更に高めることができる。
【００２４】
また、本発明では、太陽光発電パネル４９の熱をブラインを介して利用するので、設置工事の際に冷媒配管の工事を行う必要は無い。ブライン循環回路の内圧は冷媒配管の内圧より低いため、ブライン配管５３，５５の設置工事は特に専門的な技術がなくても実施可能である。また、ブライン配管５３，５５は、冷媒配管と比べて配管肉厚が薄く、コストが低いため、屋上までブライン配管５３，５５を伸ばすに当たり、コストを抑えることができる。このようなことから、本発明によれば、太陽エネルギーを有効に効率良く利用可能な省エネルギーのヒートポンプ給湯機を低い設置コストで実現することが可能となる。
【００２５】
上述したヒートポンプ給湯機の運転制御の例について、以下、図２を参照して説明する。図２は、本発明の実施の形態１における運転制御のフローチャートである。本フローチャートは、制御部２１により実行される。
【００２６】
図２に示すフローチャートによれば、まず、貯湯タンク１の沸き上げが指示されているかどうかが判断される（ステップＳ１）。沸き上げが指示されていない場合には、以下の動作を行う必要がないので、そのまま終了する。沸き上げが指示されている場合には、次に、貯湯タンク１に貯えられている湯の量を複数の温度センサ２７の検出値に基づいて算出し、その算出値（以下、「貯湯量」と称する）が１００Ｌ以下であるか否かを判断する（ステップＳ２）。
【００２７】
ステップＳ２で、貯湯量が１００Ｌ以下である場合には、貯湯タンク１内に湯が少ない状態であるため、湯切れを確実に防止するために、早急に湯を生成すべき（湯の生成を急ぐべき度合いが高い）と判定される。そこで、この場合には、ヒートポンプサイクルを運転してブラインの熱を冷媒に吸熱させて沸き上げを行う。すなわち、この場合には、まず、切替弁４７を放熱器４６側に切り替え（ステップＳ３）、ポンプ４８を運転してブラインを循環させる（ステップＳ４）。次に、送風ファン４５を運転し（ステップＳ５）、圧縮機４１を運転して（ステップＳ６）、ヒートポンプサイクルを稼動させる。そして、ポンプ２を運転する（ステップＳ７）。これにより、貯湯タンク１の下部の水が接続配管８を通って加熱熱交換器４２に送られ、加熱熱交換器４２で生成された湯が接続配管９を通って貯湯タンク１の上部に戻され、湯が貯められていく。ステップＳ７の次は、ステップＳ１以下の処理を繰り返す。
【００２８】
一方、ステップＳ２で、貯湯量が１００Ｌを超えている場合には、貯湯量が２００Ｌ以下であるか否かを更に判断する（ステップＳ８）。ここで、貯湯量が２００Ｌを超えている場合には、湯をこれ以上貯める必要はないと判定される。この場合には、沸き上げは行わず、ステップＳ１以下の処理を繰り返す。
【００２９】
これに対し、ステップＳ８で貯湯量が２００Ｌ以下であった場合、すなわち貯湯量が１００Ｌを超え２００Ｌ以下であると判定された場合には、湯を貯める必要はあるが、今のところ湯切れのおそれはないため、特に急いで湯を生成する必要はない（湯の生成を急ぐべき度合いが低い）と判定される。そこで、この場合には、エネルギー効率を向上するため、ヒートポンプサイクルを運転せず、ブラインの熱のみを利用して沸き上げを行う。すなわち、この場合には、まず、切替弁４７を第２熱交換部５４側に切り替え（ステップＳ９）、ポンプ４８を運転してブラインを循環させる（ステップＳ１０）。そして、ポンプ２を運転する（ステップＳ１１）。これにより、貯湯タンク１の下部の水が接続配管８を通って第２熱交換部５４に送られ、第２熱交換部５４でブラインの熱により生成された湯が接続配管９を通って貯湯タンク１の上部に戻され、湯が貯められていく。ステップＳ１１の次は、ステップＳ１以下の処理を繰り返す。
【００３０】
以上説明した本実施形態の運転制御によれば、沸き上げの緊急性（湯の生成を急ぐべき度合い）を貯湯量に基づいて判定し（ステップＳ２）、緊急性の高い場合にはヒートポンプサイクルを運転してブラインの熱を冷媒に吸熱させて沸き上げを行い、緊急性の低い場合にはヒートポンプサイクルを運転せず、ブラインの熱のみを利用して沸き上げを行う。これにより、緊急性の低い場合には、より省エネルギーな方法で沸き上げを行うことができるので、エネルギー効率を向上することができる。
【００３１】
以上では、太陽光発電パネル４９の熱を回収したブラインの熱を湯の生成に利用する場合について説明したが、本発明では、ブラインの熱を接続配管８，９の凍結防止運転に利用してもよい。この凍結防止運転について説明する。外気温などに基づいて、接続配管８，９の凍結のおそれがあると判定された場合、凍結防止運転を行う。凍結防止運転では、切替弁４７を第２熱交換部５４側に切り替え、ポンプ４８を運転してブラインを循環させる。また、貯湯タンクユニット３２においては、接続配管９とバイパス配管１３とを連通する状態に切替弁２６を切り替え、ポンプ２を運転する。これにより、第２熱交換部５４でブラインにより加熱された水が接続配管９、切替弁２６、バイパス配管１３、貯湯タンク１の下部、ポンプ２、接続配管８、第２熱交換部５４の順に循環する。このような凍結防止運転によれば、ヒートポンプサイクルを運転することなく、太陽光発電パネル４９から回収した熱を用いて接続配管８，９の凍結を防止することができるので、省エネルギー化が図れる。
【００３２】
実施の形態２．
次に、図３を参照して、本発明の実施の形態２について説明するが、上述した実施の形態１との相違点を中心に説明し、同一部分または相当部分は同一符号を付し説明を省略する。
【００３３】
本実施形態の給湯機の構成は図１と同様であるので、説明を省略する。図３は、本発明の実施の形態２における運転制御のフローチャートである。図３に示すフローチャートによれば、まず、貯湯タンク１の沸き上げが指示されているかどうかが判断される（ステップＳ１）。沸き上げが指示されていない場合には、以下の動作を行う必要がないので、そのまま終了する。沸き上げが指示されている場合には、次に、温度センサ２８で検出されるブライン温度が所定温度（例えば７０℃）以下であるか否かを判断する（ステップＳ１２）。
【００３４】
ステップＳ１２で、ブライン温度が上記所定温度以下である場合には、ブラインの熱で湯を直接に生成するにはブライン温度が十分でないと判定される。そこで、この場合には、ヒートポンプサイクルを運転してブラインの熱を冷媒に吸熱させて沸き上げを行う。すなわち、この場合には、実施の形態１で説明したステップＳ３〜Ｓ７の処理を行う。
【００３５】
一方、ステップＳ１２で、ブライン温度が上記所定温度を超えている場合には、ブライン温度が十分高いので、ブラインの熱で湯を直接に生成することができると判定される。この場合には、エネルギー効率を向上するため、ヒートポンプサイクルを運転せず、ブラインの熱のみを利用して沸き上げを行う。すなわち、この場合には、実施の形態１で説明したステップＳ９〜Ｓ１１の処理を行う。
【００３６】
以上説明した本実施形態の運転制御によれば、ブライン温度が不十分である場合にはヒートポンプサイクルを運転してブラインの熱を冷媒に吸熱させて沸き上げを行い、ブライン温度が十分高い場合にはヒートポンプサイクルを運転せず、ブラインの熱のみを利用して沸き上げを行う。これにより、ブライン温度が十分高い場合には、より省エネルギーな方法で沸き上げを行うことができるので、エネルギー効率を向上することができる。
【００３７】
実施の形態３．
次に、図４および図５を参照して、本発明の実施の形態３について説明するが、上述した実施の形態１との相違点を中心に説明し、同一部分または相当部分は同一符号を付し説明を省略する。
【００３８】
図４は、本発明の実施の形態３のヒートポンプ給湯機を示す構成図である。ヒートポンプサイクルの運転開始直後の立ち上がり性能は、圧縮機４１の温度に依存する。すなわち、運転開始前の圧縮機４１の温度が低い場合には、ヒートポンプサイクルの立ち上がり性能が悪くなる傾向がある。本実施形態の給湯機では、ヒートポンプサイクルの運転開始前に、必要に応じてブラインの熱で圧縮機４１を予熱することにより、ヒートポンプサイクルの立ち上がり性能を改善する。
【００３９】
図４に示すように、本実施形態の給湯機のブライン循環回路は、ブラインの熱で圧縮機４１を加熱可能な第３熱交換部５６を有している。第３熱交換部５６は、切替弁４７と第２熱交換部５４との間に設けられている。第３熱交換部５６は、ブライン配管が圧縮機４１に接触して設けられ、ブラインの熱で圧縮機４１の温度を上昇させることができるように構成されている。また、圧縮機４１の温度を検出する温度センサ２９が設けられている。本実施形態の給湯機の構成は、上記の点以外は図１に示す構成と同様であるので、説明を省略する。
【００４０】
図５は、本発明の実施の形態３における運転制御のフローチャートである。図５に示すフローチャートによれば、まず、貯湯タンク１の沸き上げが指示されているかどうかが判断される（ステップＳ１）。沸き上げが指示されていない場合には、以下の動作を行う必要がないので、そのまま終了する。沸き上げが指示されている場合には、次に、温度センサ２９で検出される圧縮機温度が所定温度以上であるか否かを判断する（ステップＳ１３）。
【００４１】
ステップＳ１３で、圧縮機温度が上記所定温度以上である場合には、圧縮機温度は十分であり、圧縮機４１を予熱する必要はないと判定される。そこで、この場合には、直ちにヒートポンプサイクルの運転を開始する。すなわち、この場合には、実施の形態１で説明したステップＳ３〜Ｓ７の処理を行う。
【００４２】
一方、ステップＳ１３で、圧縮機温度が上記所定温度より低い場合には、圧縮機４１を予熱するべきと判定される。この場合には、まず、切替弁４７を第２熱交換部５４側に切り替え（ステップＳ９）、ポンプ４８を運転してブラインを循環させる（ステップＳ１０）。そして、ポンプ２を運転する（ステップＳ１１）。これにより、ブラインが第３熱交換部５６に循環し、ブラインの熱で圧縮機４１が加熱される。ステップＳ１１の次は、ステップＳ１以下の処理を繰り返す。圧縮機４１の温度が上記所定温度まで上昇すると、ステップＳ１３の判断が肯定されるので、ヒートポンプサイクルの運転が開始される。このとき、圧縮機４１は予熱により温度が上昇しているので、ヒートポンプサイクルの立ち上がり性能を向上することができる。
【００４３】
以上説明した本実施形態の運転制御によれば、ヒートポンプサイクル運転開始前の圧縮機温度が不十分である場合にはヒートポンプサイクルの運転開始前に圧縮機４１をブラインの熱で予熱することができるので、ヒートポンプサイクルの立ち上がり性能を向上することができる。このため、エネルギー効率を向上することができる。
【符号の説明】
【００４４】
１  貯湯タンク
２  ポンプ
５，６，７  給水配管
８，９  接続配管
１０，１１  配管
１２  給湯配管
１３  バイパス配管
１４，１５  混合弁
１６  風呂配管
２１  制御部
２２  操作部
２３  風呂側流量センサ
２４  圧力センサ
２５  給湯側流量センサ
２６  切替弁
２７，２８，２９  温度センサ
３１  ヒートポンプユニット
３２  貯湯タンクユニット
４１  圧縮機
４２  加熱熱交換器
４３  絞り部
４４  空気熱交換器
４５  送風ファン
４６  放熱器
４７  切替弁
４８  ポンプ
４９  太陽光発電パネル
５０  熱収集装置
５１  電源線
５３，５５  ブライン配管
５４  第２熱交換部
５６  第３熱交換部
６０  浴槽
【図１】
2012197987.tif 000003
【図２】
2012197987.tif 000004
【図３】
2012197987.tif 000005
【図４】
2012197987.tif 000006
【図５】
2012197987.tif 000007